(57)【特許請求の範囲】
【請求項１】
たばこ用のパッケージであって、内側本体と外側シェルとを備え、前記内側本体は、前記たばこを収容するように構成され、前記内側本体及び前記外側シェルは、前記内側本体が、前記たばこの長手方向において前記外側シェル内で移動可能であるように構成され、かつ、前記内側本体及び前記外側シェルは、前記内側本体の底壁が前記外側シェルの底部開口の外または略外に移動することを止めるための第１の停止機構と、前記内側本体の底壁が前記外側シェルの上端部の外に移動することを防止するための第２の停止機構と、を備え、
前記外側シェルは、前記外側シェルの後壁または前壁と、前記外側シェルの側壁と、から垂直に延在する底部タブを備え、
前記外側シェルの前記底部タブは、第１の縁部、第２の縁部、及び第３の縁部を有し、前記第３の縁部は、前記外側シェルの前記底部開口を向いており、前記底部タブの第３の縁部は、少なくとも部分的に面取りされ、丸められ、または、湾曲しており、
前記底部タブの前記第３の縁部は、前記外側シェルの後壁と側壁との間、または、前壁と側壁との間の角度が９０°を超えて開くことができるように構成されている、パッケージ。
【請求項２】
前記外側シェルの前記底部タブは、前記外側シェルの前記底部開口の半分未満を覆うことを特徴とする請求項１に記載のパッケージ。
【請求項３】
前記外側シェルの前記底部タブは、前記外側シェルの前記前壁または前記後壁に結合され、かつ、前記外側シェルの前記側壁に、特に延長タブによって結合されていることを特徴とする請求項１または２に記載のパッケージ。
【請求項４】
前記底部タブは、実質的に平坦であり、紙のような材料または厚紙材料で作られていることを特徴とする請求項１〜３のいずれか一項に記載のパッケージ。
【請求項５】
前記第２の停止機構は、切り欠き及び舌部を備えることを特徴とする請求項１〜４のいずれかに記載のパッケージ。
【請求項６】
前記切り欠きは、前記内側本体の前記後壁に配置され、前記舌部は、前記内側本体の上面が前記外側シェルの頂部開口を越えて延在する際に前記舌部が前記切り欠きと所定の位置で係合するように前記外側シェルの前記後壁に結合されていることを特徴とする請求項５に記載のパッケージ。
【請求項７】
前記外側シェルは、前記外側シェルの前記後壁の底部縁に結合され、かつ、前記底部縁から延在する舌部を備え、前記舌部は、中間部分、上部、並びに、前記上部内及び／または前記中間部分内の切り欠きを備え、かつ、前記内側本体は、前記内側本体の後壁の切り欠きと、前記内側本体の前記後壁の前記切り欠き内に延在する内側タブと、を備えることを特徴とする請求項１に記載のパッケージ。
【請求項８】
前記第１の停止機構は、非接着中間部に隣接する２つの接着端部を含む粘着テープをさらに含み、前記粘着テープは、第１の接着端部分が前記外側シェルの前壁に取り付けられ第２の接着端部分が前記外側シェルの後壁に取り付けられ、非接着中間部分が外側シェルの底部開口に架かるように前記外側シェル上に配置されることを特徴とする請求項１〜７のいずれか一項に記載のパッケージ。
【発明の詳細な説明】
【技術分野】
【０００１】
本発明は、外側シェルと内側本体とを含むたばこ関連物品、特に、たばこ用パッケージ、並びに、パッケージのブランク及びパッケージの製造方法に関する。
【背景技術】
【０００２】
たばこ関連物品、特に外側シェル及び内側本体を有するたばこ用のパッケージは、当該技術分野において周知である。パッケージ内のたばこにアクセス可能にするために、内側本体はパッケージの上端に向かって外側シェルの外に移動される。これらのパッケージは、ハルアンドスライドパッケージ（hull-and-slide packages）とも呼ばれます。たばこのチップ（フィルタ）が上端部に現れたら、消費者は、たばこのうちの１つをパッケージから取り出し、内側本体を外側シェルに戻したりスライドさせたりしてパッケージを再び閉じ得る。既存のパッケージの主な欠点の１つは、内側本体を外側シェルから完全に移動させることができるという問題にある。その後、内側本体をシェル内に戻すことは困難になる可能性がある。さらに、内側本体が外側シェルの外で底端部に向かって押されると、消費者は内側本体を意図せずに底部端部から開き得る。
【発明の概要】
【発明が解決しようとする課題】
【０００３】
本発明の目的は、従来技術の欠点を克服する外側シェル及び内側本体を有するパッケージを提供することである。
【課題を解決するための手段】
【０００４】
本発明の一態様では、たばこ関連物品、特にたばこ用のパッケージが提供される。パッケージは、内側本体及び外側シェルを備え得る。
【０００５】
内側本体は、少なくとも後壁及び底壁を備え得る。内側本体は、後壁の上端部にヒンジ式に結合され得る蓋をさらに備え得る。さらに、内側本体は、後壁の対向する側部に結合された２つの側壁を備え得る。さらに、内側本体は、内側本体の前面を部分的に、または、略覆う前壁を備え得る。前壁は任意選択であり、底壁及び／または２つの側壁に結合され得る。
【０００６】
外側シェルは、少なくとも後壁及び前壁ならびに２つの側壁を備え得る。シェルは、底部面及び頂部面に向かって開いていても、または略開いていてもよい。これは、外側シェルが、内側本体が外側シェル及び底部開口から押し出される、または、摺動されることになっている頂部開口部を有する得ることを意味する。
【０００７】
内側本体はさらに、たばこ関連物品、特に、たばこ、葉巻などを収容するように構成され得る。内側本体及び外側シェルは、さらに、内側本体がたばこ関連物品の長手方向、特に、たばこの長手方向において外側シェル内で移動できるように構成され得る。たばこ関連物品の長手方向は、有利には最長延在方向であり得る。一態様によれば、内側本体及び外側シェルは、内側本体の底壁が外（または実質的に外、なぜなら、内側本体の底壁は、材料が変形可能であること、または公差などに起因して底部開口を多少越えて延在し得る）が、外側シェルの底部開口に形成される。）に移動するのを止めるための第１の停止機構を備え得る。さらに、内側本体の下側底壁が外側シェルの上端部の外に移動するのを防止するための第２の停止機構があり得る。第２の停止機構は、好ましくは、たばこ関連物品、特にたばこを取り出すことを可能にする停止点で、外側本体の頂部開口に向かう内側本体の摺動または移動を停止するように構成され得る。この第２の停止点は、有利には、外側シェルの頂部開口から所定の距離を有する。したがって、第２の停止機構及び第２の停止点の位置により、内側本体は、部分的に外側シェルの内側に留まる。
【０００８】
次に、内側本体の前壁は、内側本体が外側シェルから外側シェルの頂部開口に向かって、または、第２の停止機構の位置に引っ張られる際、前方壁の一部が見える程度まで内側本体の前面を覆い得る。これにより、内側本体の前壁に広告または警告を配置することが可能である。
【０００９】
本発明の別の態様によれば、外側シェルは、外側シェルの後壁または前壁から垂直に延在する底部タブを備え得る。これに加えて、または、これに代えて、底部タブは、外側シェルの側壁から垂直に延在し得る。底部タブは、有利には、後壁または前壁の下縁部（後壁及び前壁のうちの一方のみ）に、かつ、一方の側壁の下縁部に結合される。
【００１０】
底部タブは、有利には平坦であり、外側シェルの壁と同じ材料で作られている。それは、外側シェルの他の壁と共に、すなわち単一のブランクから製造され得る。したがって、底部タブ及び／または外側シェルは、全て、紙、紙様材料及び／または厚紙から形成され得る。
【００１１】
底部タブは、互いに垂直な少なくとも２つの縁部または側部（第１の縁部及び第２の縁部）を有し得る。第１の縁部は、むしろ、底部タブが一体構造（１つの部分）で外側シェルの第１の壁の下縁に結合される折り曲げ線またはヒンジ線であり得る。この第１の壁は、外側シェルの側壁または前壁または後壁であり得る。有利な実施形態では、第１の壁は前壁である。他方の縁部、すなわち、底部タブの第２の縁部は、（例えば、切断によって形成される）縁部であり得る。次いで、底部タブは、（第１の縁部に対して垂直である）第２の縁部に沿って外側シェルの第２の壁に結合され得る。この第２の壁は、有利には、第１の壁に対して垂直である。例えば、第１の壁が外側シェルの前壁である場合、底部タブの第２の縁は外側シェルの側壁に結合される。この結合は、第２の壁（例えば、側壁）から延在する別のタブ（延長タブ）によって実行され得る。しかし、第１の壁が側壁であり、第２の壁がパッケージの後壁または前壁であることも考えられる。結果として、底部タブまたは底部タブがある平面は、第１の壁の平面、及び、外側シェルの第２の壁の平面に垂直な平面である。
【００１２】
本明細書の文脈において、平面または壁またはタブに関して「垂直」という用語は、折り畳まれていない、かつ、組み立てられたパッケージに関することにさらに留意すべきである。
【００１３】
本発明のさらに別の態様では、外側シェルの底部タブは、外側シェルの底部開口の半分未満を覆う。これは、底部タブのサイズが底部開口よりも小さく、実際には有利な実施形態では、底部タブが底部開口よりもかなり小さいことを意味する。
【００１４】
先に説明したように、底部タブは、互いに垂直な第１の縁部及び第２の縁部を有する。一般的に可能ではあるが、底部タブは、有利には、完全に長方形ではない。矩形形状の底部タブとは、必然的に、底部タブが４つの頂点及び４つの縁部を有することを意味するが、本明細書における底部タブは、３つの頂点及び２つの垂直な縁部（第１の縁部及び第２の縁部）第１の頂点は、底部タブの第１の縁部と第２の縁部との間のものであり得る。第２の頂点は、第１の頂点に対して第１の縁部の反対側の端部に配置され得る。第３の頂点は、第１の頂点に対して第２の縁部の反対側の端部に位置し得る。次いで、底部タブは、第３の頂点から第２の頂点まで延在する第３の縁部を有し得る。第３の縁部は、第２の頂点と第３の頂点との間の直接的な対角線であり得る。しかしながら、有利には、第３の縁部は、少なくとも部分的に曲線、円形部、または楕円部などを含む、湾曲される、または、丸くされ得る。第３の縁部は、有利には、第２の頂点と第３の頂点との間の直接的な対角線よりも長い。さらに、タブの第３の縁部は、第２の頂点と第３の頂点との間の直接的な対角線より大きい第１の頂点からの距離を有し得る。
【００１５】
言い換えると、外側シェルの側部開口の中央に向かう底部タブの延長は、底部タブの第１の縁部（例えば、前壁または後壁）の長さの２乗と、底部タブの第２の縁部（例えば、外側シェルの側壁に沿った）の長さの２乗と、の和の平方根よりも常に小さくなり得る。    
【００１６】
上記の態様によれば、底部タブは、外側壁の後壁と側壁または前壁と側壁との間の角度が９０°を超えて開くことができるように構成され得る。底部タブは、第３の縁部に沿って短くすることができ、その結果、底部タブの第３の縁部は、過度の曲げている間にも外側シェルの前壁または後壁と接触しない。これは、事前に組み立てられた外側シェルが折り畳まれていない際の製造中において重要であり得る。事前に組み立てられたとは、側壁及び前壁及び後壁が全て互いに接続されており、例えば互いに接着されており、かつ、底部タブも外側シェルの第１及び第２の壁に結合されていることを意味する。この第１の組立工程の後、外側シェルが再び一緒に折り畳まれ得る。次のステップでは、内側本体を外側シェルに挿入するために、事前に組み畳まれた外側シェルを広げる必要がある。この広げるプロセスは、外側シェルを折り畳まれた状態に戻し得る固有の復元力のために、外側シェルの過度の曲げまたは過度の伸張を必要とする。底部タブの第３の縁部を短くすることにより、外側シェルに悪影響を与えることなく、この過度の曲げが可能になる。
【００１７】
底部タブは、一般的に、内側本体の底壁が外側シェルの底部開口の外に移動することを防止する。前述の態様による底部タブは、製造中に少量の材料の追加しか必要とせず、パッケージの組み立て中に基本的に同じ製造工程を適用され得る。
【００１８】
代替的に、または、上述の底部タブに追加して、第１の停止機構は、非接着中間部分に隣接する２つの接着端部分を備える粘着テープを備え得、第１の接着端部分が外側シェルの前壁に取り付けられ、第２の接着端部が外側シェルの後壁に取り付けられ、かつ、非接着中間部分が外側シェルの底部開口に架かるように、外側シェル上に配置される。
【００１９】
粘着テープの中間部分は、内側本体の底壁が外側シェルの底部開口の外に、または、略外に移動するのが防止されるように、外側シェルの底部開口の少なくとも一部を覆う。粘着テープの中間部分は、外側シェルの底部開口を部分的または略完全に覆い得る。
【００２０】
粘着テープの第１及び第２の接着部分は、外側シェルの前壁及び後壁にそれぞれ接着されるように接着剤を備え、非接着中間部分は、粘着テープが内側本体の底壁に貼り付かないように接着剤を有さない。接着剤は、永久接着剤または再貼り付け可能な接着剤であり得る。      
【００２１】
粘着テープは、好ましくは、外側シェルの前壁及び後壁の底部の縁部を横切ってテープを適切に曲げることができるように、可撓性材料から製造される。可撓性材料は、ポリマー、紙及び／またはボール紙を備える、または、これらから成り得る。
【００２２】
粘着テープは透明であり得る。粘着テープが透明である場合、前記粘着テープの適用は、本発明のパッケージの設計及び外観に影響を与えない。接着剤テープの一部によって覆われていても、デザイン要素ならびにテキスト、画像またはグラフィック要素は、依然として可視のままである。
【００２３】
パッケージは、内側本体が外側シェルの頂部開口の外に移動するのを防止する第２の停止機構をさらに備えて得る。第２の停止機構は、切り欠きまたは開口部及び舌部を備え得る。
【００２４】
一態様では、切り欠きまたは開口部は、内側本体の後壁に設けられ得る。舌部は、外側シェルの後壁から結合されて延在し得る。舌部は、内側本体の底部面が外側シェルの頂部開口に達する前の位置で切り欠きと係合するように構成される。切り欠きまたは開口部は、半円の形状を有し得る。切り欠きまたは開口は、舌部の最大延在長に対応する最大延在長を少なくとも有し得る。
【００２５】
本発明の一実施形態では、外側シェルは、通常、外側シェルの後壁の縁部に連結され、かつ、そこから延在する舌部を備え得る。この実施形態では、舌部が後壁に結合されるところの後壁の縁部は、有利には底縁部となり得る。舌部は、中間部、上部、及び、上部及び／または中間部内の切り欠きを備え、内側本体は、内側本体の後壁に切り欠きと、切り欠き内に延在する内部タブと、を備え得る。したがって、外側シェルは、外側シェルの後壁の底縁部に結合された舌部を備え、舌部は、栓抜きの形状を有し得る。舌部は、中間部及び上部と、中間部及び上部内、または、中間部と上部分との間に配置される切り欠きまたは窓を備え得る。中間部は、外側シェルの後壁の底縁部と上部との間に配置され得る。    
【００２６】
切り欠きは、有利にかつ実質的に上部内に配置され得る。
【００２７】
舌部、特に中間部は、外側シェルの後壁と一体的に（１つのブランクから一体に）作られ得る。
【００２８】
舌部は、円形、楕円形、または、湾曲した外縁を有し得る。
【００２９】
舌部は、２つの折り曲げ線をさらに備え得る。第１の折り曲げ線は、外側シェルの中間部と後壁との間に配置され得る。この第１の折り曲げ線は、外側シェルの後壁の底縁部に沿って延在し得る。第２の折り曲げ線は、中間部と舌部の上部との間に配置され得る。特に、第２の折り曲げ線は、少なくとも部分的に切り欠きの切縁に沿って延在し得る。折り曲げ線は、舌部を２回折り曲げるように構成されている。中間部が外側シェルの後壁の内面に乗るように、外側シェルの内側に向かう第１の方向に一度。第２の折り畳みは、舌部の上部を用いて第１の折り畳みと反対方向に実行される。しかしながら、第２の折り畳みは、外側シェルの後壁の内面から上部が離れるようにわずかに持ち上げるためのごくわずかな折り畳みに過ぎない。
【００３０】
次いで、内側本体は、後壁に少なくとも第１の縁部または切断線および第２の縁部または切断線を含む切り抜きまたは備え得る。２つの縁部または切断線は、互いに平行であり得る。切り欠きまたは窓は、リングセグメントの形状または略その形状を有し得る。結果として、内側タブが切り抜きまたは窓内に突出し、パッケージの底部面から頂部面に向かって指す。この内側タブは、内側本体がパッケージの上面に向かって外側シェルから滑り出ることを防止する第２の停止機構を設けるために、外側シェルの舌部における切り欠きと係合するように構成され得る。外側シェルの舌部の上部の外側縁部または中間部の外側縁部は、内側本体が動かされた際に内側本体の後壁の切り欠きの１つにさらに係合することができる外側シェルの底部開口に向かって移動し、これにより、内側本体が外側シェルの底部開口から滑り出ることを防止する第１の停止機構を設ける。
【００３１】
本発明は、また、本発明におけるパッケージを製造するためのブランクを提供する。さらに、本発明は、パッケージの製造方法も提供する。
【００３２】
本発明のさらなる態様及び特徴が、添付の図面を参照して、本発明の好ましい実施形態の以下の説明から生じるであろう。
【図面の簡単な説明】
【００３３】
【図１】本発明の一実施形態におけるパッケージの開いた状態の簡略斜視図である。
【図２】本発明の一実施形態におけるパッケージの底部面の簡略斜視図である。
【図３】たばこ関連物品なしの開いた状態の本発明の一実施形態におけるパッケージの簡略斜視図である。
【図４】本発明の一実施形態における、内側本体のために使用される、広げられた状態のブランクの簡略上面図である。
【図５】本発明の一実施形態における外側シェルに使用される、広げられたブランクの簡略上面図である。
【図６】製造工程を示す外側シェルの一連の簡略底面図のである。
【図７】図７は、底部タブ上の単純化した平面図である。
【図８】本発明の別の実施形態における、内側本体の広げられたブランクの簡略平面図である。
【図９】本発明の別の実施形態における外側シェル用の広げられたブランクの簡略上面図であり。
【図１０】図８及び図９に示す実施形態の第２の停止機構の詳細を示す図である。
【図１１】図８、図９及び図１０に示す実施形態の第１停止機構の詳細を示す図である。
【発明を実施するための形態】
【００３４】
図１は、本発明の一実施形態におけるパッケージ１００の簡略斜視図である。パッケージ１００は、内側本体１及び外側シェル２を備える。内側本体１は、少なくとも第１の側壁３と、後壁４、第２の側壁２０（この図では見えない）と、ヒンジ式に結合された蓋５、及び、底壁１０４（この図では見えない）を備える。ヒンジ式に結合された蓋５は、頂壁７及び前壁６を備える。頂壁７はヒンジ８によって後壁４にヒンジ式に結合されている。
【００３５】
外側シェル２は、少なくとも第１の側壁１４、後壁１２、第２の側壁１０、及び、前壁１１を備える。また、パッケージの頂部面及び底部面は矢印で示されている。内側本体は、パッケージ１００を開閉するために、外側シェル２内で長手方向Ｘに移動または摺動され得る。内側本体１は、たばこ関連物品、この実施形態ではたばこ１０１を含み、たばこ１０１は内側本体内で長手方向Ｘに沿って、すなわち、外側シェル２に対する内側本体１の摺動方向と同じ方向に延在する。
【００３６】
図２は、図１にも示したパッケージ１００の底部面側の簡略斜視図である。この図から分かるように、外側シェル２は、主として本質的に、前壁１１、第１の側壁１４、後壁１２、及び、第２の側壁１０を有する内側本体１を備える。外側シェル２は、主に開放されているので、内側本体１の底壁１３が見える。外側シェル２の底部開口１０４は、底部タブ１５によって部分的にのみ覆われている。底部タブ１５は、前壁１１及び第２の側壁１０に結合されており、第２の側壁１０及び前壁１１の平面に垂直に延在する。底部は、折り曲げ線１７及び湾曲縁部１６をさらに備える。湾曲縁部１６は、外側シェル２の底部開口１０４内に延在する。底部タブ１５は、内側本体１が底部開口１０４及び内側本体の底部面に向かった外側シェル２の外に摺動することを防ぐ役割を果たす。したがって、底部タブ１５は、外側シェル２の底部開口１０４に向かう内側本体１の動きに対して第１の停止機構を構成する。
【００３７】
図３は、図１及び図２に示す本発明の実施形態におけるパッケージ１００の別の斜視図を示す。この図では、たばこ関連物品、すなわちたばこ１０１及び追加的なインナーライナー９は見えない。これにより、パッケージの頂部面に向かう動きに関する第２の停止機構が可視になる。したがって、外側シェル２の後壁１２の頂部縁にヒンジ式に結合された舌部１８がある。舌部１８は、内側本体１の切り欠き１９と係合する。この第２の停止機構は、内側本体１が外側シェル２から完全に引き出されるのを防止する。
【００３８】
内側本体の前壁６は、内側本体１が、頂部開口に向かって、または、第２の停止機構の位置に外側シェルから少なくとも部分的に引き出された際に前壁６の一部が見える程度まで内側本体１の前面を覆うのに十分な長さであり得る。すると、内側本体１の前壁６の外面に宣伝または警告を配置することが可能である。
【００３９】
図４及び図５は、上述の図に示される実施形態の折り畳まれていないブランクの簡略上面図を示す。
【００４０】
図４は、内側本体１のために使用される、折り畳まれていないブランクの簡略上面図を示す。前に説明したように、内側本体１は、後壁４と２つの側壁３及び２０とを備える。さらに、頂壁７及び前壁６を含むヒンジ式に結合された蓋５がある。内側本体の底部面は、底壁２２と、内側本体１の前面を少なくとも部分的に覆うように働くさらなるタブ２３と、によって閉じられている。この図の破線は折り曲げ線に関連し、実線は切断線である。後壁は、半円形の形状を有する切り抜き１９を備える。この半円の直径Ｄ１は４５ｍｍであり得る。これは、半円の半径が２２．５ｍｍであることを意味する。切り欠き１９は、その最大延在長、すなわち、直径Ｄ１が内側本体１の移動方向Ｘに垂直であるように配置されている。壁３、２０、２２、２３、６、７は、最終的な組み立てられた構成では折り曲げ線Ｆ１〜Ｆ７に沿って内側に折り畳まれる。底壁２２と後壁４との間に位置する折り曲げ線Ｆ３と切り欠き１９との間の距離は１５ｍｍであり得る。切り欠き１９は、Ｄ１を指す直径の長さの直線と、円形の半径１と、を有する。直径Ｄ１の直線と折り曲げ線Ｆ３との間の距離はＢ１である。図５は、図１〜図４における実施形態の外側シェル２に使用される、折り畳まれていないブランクの簡略平面図を示す。上述のように、外側シェル２は、第１の側壁１０、前壁１１、第２の側壁１４、及び、後壁１２を備える。ここでも、破線は、折り曲げ線Ｆ１、Ｆ２、Ｆ３、Ｆ４、Ｆ５、Ｆ６、Ｆ７を示す。しかしながら、健康に関する警告のために確保された領域Ａ１、Ａ２、Ａ３、Ａ４が存在する。これらの領域Ａ１、Ａ２、Ａ３、Ａ４の周囲の実線は切断線を表していない。底部タブ１５は、折り曲げ線Ｆ４によって前壁１１に結合され、前壁１１の面に垂直に延在するように内側に折り畳まれる。次いで、底部タブ１５は、第１の側壁１０から延在する別のタブ２５に結合または接着され得る。折り曲げ線Ｆ１によって内側本体１の後壁１２に結合された舌部１８がさらに存在する。舌部１８は、折り曲げ線Ｆ１によって、内側本体１の後壁１２の頂部縁１０５に結合される。折り曲げ線Ｆ１に沿って、舌部１８は、最大延在長Ｄ４を有する。この延在長Ｄ４は、図３に示す切り欠き１９の最大直径Ｄ１と略同一であり得る。折り曲げ線Ｆ１の反対側の端部に向かって、舌部１８は、延在長Ｄ４よりも小さい延在長Ｄ５を有する。延在長Ｄ５は３５ｍｍであり得る。延在長Ｄ４は４５ｍｍであり得る。
【００４１】
図６Ａ〜図６Ｆは、本発明の態様におけるパッケージ１００の製造工程の一連の簡略底面図である。外側シェル２は、図５に示すブランクから構築されている。図６Ａ及び図６Ｂに示す最初の２つのステップでは、第１の延長タブ２４は、後壁１２に結合（例えば接着）される。結果として、２つの側壁１０、１４、前壁１１、及び、後壁１２を有するシェルが得られる。外側シェル２は、依然として頂部端及び底部端に向かって開放している。さらに、第２の延長タブ２５は、底部タブ１５に結合（例えば接着）される。次のステップは、図６Ｃに示される。側壁１０、１４、前壁１１、及び、後壁１２、並びに、第２の延長タブ２５及び底部タブ１５が、すべて一緒に結合（例えば接着）されると、外側シェル２は、前壁１１及び後壁１２が互いに当接するように再び折り畳まれ得る。延長タブ２５と底部タブ１５とは既に連結されているので、底部タブ１５が底部タブ１５の中心を通る中央折り曲げ線１７に沿って折り畳むことができる必要がある（図５参照）。これは、外側シェル２が、前壁１１及び後壁１２の内面が接触さえし得る、非常に平坦な構成をとることを可能にするのに役立つ。別の製造場所で実行され得る、図６Ｄに示すさらなる製造工程では、外側シェル２が再び広げられ、これは、側壁１４、１０と後壁１２と前壁１１との間の角°が、基本的に９０°の角度になることを意味する。外側シェル２のために使用される材料内、特に前壁、後壁、及び、側壁１１、１２、１０、１４の間の縁部における復元力のために、外側シェル２は、前の折り畳まれた状態の方に戻る傾向がある。このため、図６Ｅに示すように、側壁１０、１４及び前壁１１及び後壁１２を図２に示す９０°以上に曲げることによって外側シェルを広げなければならない。しかしながら、この過剰折り曲げは、底部タブ１５が短くされている場合、例えば、湾曲した、丸められた、または、縁部１６に沿った任意の他の形状にされている場合（図５に示す）のみ可能である。
【００４２】
底部タブ１５は、一般的に平坦であり、外側シェル２の壁１０、１４、１１、１２と同じ材料で作られており、外側シェル２の他の壁１０、１４、１１、１２と一緒に、すなわち、単一のブランクから製造することができる。したがって、底部タブ１５及び／または外側シェル２は、全て、紙、紙様材料及び／または厚紙で形成され得る。
【００４３】
図７は、底部タブ１５の上面図を示す。底部タブ１５は、互いに垂直な少なくとも２つの縁部または側部（第１の縁部Ｅ１及び第２の縁部Ｅ２）を有し得る。第１の縁部Ｅ１は、むしろ折り曲げ線またはヒンジ線であり得、これによって底部タブ１５が一体構造（一体物）で外側シェル２の第１の壁の底縁部に結合される。この第１の壁は、外側シェルの側壁、前壁１１、または、後壁１２であり得る。この実施形態では、第１の壁は前壁１１である。他の縁部、すなわち、底部タブ１５の第２の縁部Ｅ２は、例えば、切断によって作られる縁部であり得る。次いで、底部タブ１５が、（第１の端部Ｅ１に垂直である）第２の端部Ｅ２に沿って外側シェルの第２の壁に結合され得る。この第２の壁は、有利には第１の壁に対して垂直である。例えば、第１の壁が外側シェル２の前壁１１である場合、底部タブ１５の第２の端部Ｅ２は、外側シェルの側壁１０、１４に結合される。この結合は、第２の壁（例えば、側壁１０）から延在する別のタブ２５（図５に示す第２の延長タブ２５）によって行われ得る。しかしながら、第１の壁が側壁１４であり、第２の壁が外側シェル２の後壁１２または前壁１１であることも考えられる。その結果、底部タブ１５、または、底部タブ１５が位置する面は、第１の壁の面及び外側シェルの第２の壁の面に垂直な面である。
【００４４】
本明細書の文脈において、面、壁、または、タブに関して「垂直」という用語は、折り畳まれていないパッケージ及び組み立てられたパッケージに関することにさらに留意すべきである。
【００４５】
外側シェルの底部タブ１５は、有利には、外側シェル２の底部開口の半分未満を覆う。これは、底部タブ１５によって覆われる領域のサイズが、底部開口よりも小さく、実際には、有利な実施形態では、底部タブ１５は、底部開口よりもかなり小さい。
【００４６】
先に説明したように、底部タブ１５は、互いに垂直な第１の縁部Ｅ１及び第２の縁部Ｅ２を有する。一般的には可能であるが、底部タブ１５は有利には完全に長方形ではない。矩形形状の底部タブであれば、底部タブが必ず４つの頂点Ｖ１、Ｖ２、Ｖ３、Ｖ４と４つの側部Ｅ１、Ｅ２、Ｅ３’、Ｅ４’を有することを暗示するが、本明細書における底部タブ１５は、３つの頂点Ｖ１、Ｖ２、Ｖ３、２つの垂直な縁部（第１の縁部Ｅ１及び第２の縁部Ｅ２）、及び、第３の縁部Ｅ３のみを備え得る。第１の頂点Ｖ１は、底部タブ１５の第１の縁部Ｅ１と第２の縁部Ｅ２との間のものあり得る。第２の頂点Ｖ２は、第１の頂点Ｖ１に対して第１の縁部Ｅ１の反対側の端部に位置し得る。第３の頂点Ｖ３は、第１の頂点Ｖ１に対して第２の縁部Ｅ２の反対側の端部に位置し得る。すると、底部タブ１５は、第３の頂点Ｖ３から第２の頂点Ｖ２まで延在する第３の側部または縁部Ｅ３（符号１６とも称される）を有し得る。第３の縁部Ｅ３は、第２の頂点Ｖ２と第３の頂点Ｖ３との間の直接的な対角線の直線であり得る。しかし有利には、第３の縁部Ｅ３は、少なくとも部分的に曲線、円形部分、または、楕円部分などを含む湾曲または円形であり得る。第３の縁部Ｅ３は、有利には、第２の頂点Ｖ２と第３の頂点Ｖ３との間の直接的な対角線よりも長い。さらに、底部タブ１５の第３の縁部Ｅ３は、第２の頂点Ｖ２と第３の頂点Ｖ３との間の直接的な対角連結線よりも大きい、第１の頂点Ｖ１からの距離を常に有し得る。
【００４７】
言い換えると、外側タブ２の底部開口１０４の中心Ｃに向かう底部タブ１５の延長線は、底部タブの第１の縁部Ｅ１の長さの２乗（例えば、前壁１１または後壁１２に沿った）と、底部タブ１５の第２の端部Ｅ２の長さの２乗（例えば、外側シェルの側壁１０、１４に沿った）と、和の平方根より常に小さい。
【００４８】
中央折り曲げ線１７は、有利には、第１の頂点Ｖ１から第３の縁部Ｅ３まで延在する。特に、中央折り曲げ線１７は、第１の頂点Ｖ１と、第３の縁部Ｅ３の中心、略中心、または、中間領域と、の間に延在する。
【００４９】
図８は、本発明の別の実施形態における内側本体の折り畳まれていないブランクの上面図を示す。底部面（底部）と頂部面（頂部）が示される。この実施形態では、内側本体１の後壁４は、半円ではなく半円セグメントまたは半リングとして形成された切り欠き１９を備える。したがって、切り欠き１９内に延在する内側タブ１０６がある。この内側タブ１０６は、折り曲げ線Ｆ８に沿って内側にわずかに折り畳まれ得る。言い換えると、切り欠き１９は、外輪形、湾曲した縁部、または、切断線３０と、内輪形、湾曲した縁部、または、切断線３１と、を有する。切断線３０及び３１が平行である場合、切り抜き１９は、リングセグメントまたは同様のウィンドウの形状を有し得る。この図においても、折り曲げ線は破線で示され、切断線は実線で示される。他の折り曲げ線Ｆ１〜Ｆ７、並びに、壁３、４、２０、７、６、２２、２３は、上述の同じ特性を有する。
【００５０】
図９は、図８に示す内側本体１とともに外側シェル２に使用される、折り畳まれていないブランクの簡略上面図を示す。底部面（底部）及び頂部面（頂部）が示されている。壁２４、１０、１１、１４及び１２、並びに、折り曲げ線Ｆ１、Ｆ２、Ｆ３、Ｆ５、Ｆ６は、図５に関して説明したのと同じ特性及び機能を有する。しかしながら、舌部１８は、ここでは、「栓抜き」と略称される形状で構成されている。舌部１８は、ここで、中間部２６、上部２７、及び、中央切り欠き２８を含む。さらに、中間部２６と上部２７との間に折り曲げ線Ｆ９がある。中間部２６は、外側シェル２の後壁１２の底縁部に折り曲げ線Ｆ１によって結合されている。上部２７は、中間部２６に折り曲げ線Ｆ９によって結合されている。外側シェル２を組み立てるために、舌部１８は、折り曲げ線Ｆ１に沿って内側に折り曲げられる一方で、舌部１８の上部２７は、折り曲げ線Ｆ１に沿って折り曲げる方向と反対方向に折り曲げ線Ｆ９に沿ってわずかに折り曲げられる。これは、舌部１８が、中間部２６、上部２７、及び、切り抜きまたは窓２８を備えることを意味する。舌部１８全体の外縁部は、湾曲、円形、または、楕円形であり得るが、多角形の形状をも有し得る。外縁部の一部は、符号３２、３３、及び３４を有する。２つの縁部３２及び３４は、中間部２６の外側及び対向する縁部であり、舌部の単一の外縁部とも見なされ得る。外縁部３３は舌部１８の頂部面を画定する。
【００５１】
図８に示す切り欠き１９と図９に示す舌部１８とは、次に、パッケージ１００の底部面に向かう移動のための第１の停止機構と、パッケージ１００の頂部面に向かう移動のための第２の停止機構と、を確立するために、次のように協働することができる。内側本体が頂部面に向かって外側シェル２の外に移動される場合、図８に示す内側タブ１０６は、切り欠き２２８と係合し、内側本体１が外側シェル２から完全に移動または摺動されることを防止する。次に、内側本体１が反対方向、すなわちパッケージの底部面に向かって移動されると、外側リング３０（図８に示されている）が、舌部１８の外縁部３３または縁部３２、３４の上部と係合する。２つの停止機構の詳細については、図１０及び図１１を参照してさらに説明する。
【００５２】
図１０は、第２の停止機構を示すパッケージ１００の斜視図を示す。内側本体１がパッケージの頂部開口（頂部）に向かって部分的に外に移動されると、内側本体１の内側タブ１０６は、外側シェル２の後壁１２に内面にと折り曲げられる舌部１８の切り欠き２８内に摺動する。舌部は、栓抜きの形状を有する。内側本体１の内側タブ１０６が、舌部１８の切り欠き２８と係合するため、内側本体１の外側シェル２に対する動きは、制限され、内側本体１全体が外側シェル２を完全に離れ得る前の点で止められる。切り欠き２８は、上部２７内に配置される。また、舌部１８は、後壁１２の底縁部（Ｆ１に沿って）の間に位置する折り曲げ線Ｆ１に沿って折り曲げられていることが分かる。上部２７は、内側タブ１０６と切り抜き２８との間の係合を簡単にするために、パッケージの内部空間に向かって折り曲げ線Ｆ９に沿ってわずかに曲げられる、または、折り曲げられるのみである。    
【００５３】
図１１は、本実施形態の第１の停止機構を示すパッケージ１００の簡略斜視図である。内側本体１が外側シェル２の底部開口（底）に向かって移動されると、内側本体１の切り欠き１９の外縁部または切断線３０は、外側シェルの舌部１８の外縁部３３及び／または外縁部３２、３４と係合する。パッケージの頂部端に向くように折り曲げられる上部２７は、切り欠き１９を通過して延在できない、または、少なくとも完全に延在しないことが分かる。これにより、内側本体１が外側シェル２の底部面から滑り出ることが防止される。したがって、舌部１８の形状及び最大直径は、内側本体１の後壁４の切り欠き１９の最大直径と少なくとも等しいかまたはそれより大きい。
【００５４】
図１２は、本実施形態の第１の停止機構としての粘着テープ４０を備えるパッケージ１００の簡略斜視図である。パッケージ１００は、粘着テープ４０を備え、粘着テープ４０は、非粘着性中間部分に隣接する２つの粘着性端部分を含む。粘着テープ４０は、第１の接着端部分が外側シェルの前壁に取り付けられ、第２の接着端部分が外側シェルの後壁１２に取り付けられ、非接着中間部分は外側シェルの底部開口に架かる。
【００５５】
粘着テープ４０の中間部分は、外側シェルの底部開口の少なくとも一部を覆い、これにより、内側本体の底壁が外側シェルの底部開口の外または略外に移動されることを防止する。粘着テープ４０の中間部分は、外側シェルの底部開口を部分的または略完全に覆い得る。
【００５６】
粘着テープ４０の第１及び第２の接着部分は、外側シェルの前壁及び後壁にそれぞれ接着されるように接着剤を備え、非接着中間部分は、内側本体の底壁への粘着テープ４０の粘着を避けるために接着剤を欠いている。接着剤は、永続的な固定を可能にする永久接着剤であり得る。
【００５７】
内側本体が、外側シェルの底部開口（底）に向かって移動される場合、内側本体の底壁は粘着テープ４０の中間部分に隣接する。これにより、内側本体が外側シェルの底部面の外に滑り出ること防止する。
【００５８】
本発明を特定の実施形態を参照して上に説明したが、これらの実施形態に限定されるものではなく当業者には、本発明の特許請求の範囲内にある更なる代替案が生じるであろう。  
【符号の説明】
【００５９】
１  内側本体
２  外側シェル
３  側壁
４  後壁
５  蓋
６  前壁
７  頂壁
８  ヒンジ
９  インナーライナー
１５  底部タブ
１８  舌部
１９  切り欠き
２４  第１の延長タブ
２５  第２の延長タブ
２８  切り欠き、窓
３３  符号
３３  外縁部
４０  粘着テープ
１００  パッケージ
１０４  底部開口
１０６  内側タブ
１１１  壁
【図１】
0006522147.tif 000002
【図２】
0006522147.tif 000003
【図３】
0006522147.tif 000004
【図４】
0006522147.tif 000005
【図５】
0006522147.tif 000006
【図６（Ａ）】
0006522147.tif 000007
【図６（Ｂ）】
0006522147.tif 000008
【図６（Ｃ）】
0006522147.tif 000009
【図６（Ｄ）】
0006522147.tif 000010
【図６（Ｅ）】
0006522147.tif 000011
【図６（Ｆ）】
0006522147.tif 000012
【図７】
0006522147.tif 000013
【図８】
0006522147.tif 000014
【図９】
0006522147.tif 000015
【図１０】
0006522147.tif 000016
【図１１】
0006522147.tif 000017
【図１２】
0006522147.tif 000018